(57)【要約】【課題】炊飯器本体に対するコードリールの取付作業性が優れ、コードリールの充電端子部に水滴やおねばの水分がかからないようにし、さらにコードリールの収納高さを調節することにより、同一のコードリールで高さの異なる炊飯器にも対応できる等の電気炊飯器を提供すること。【解決手段】炊飯器本体１の内部空間７の適所には、縦向きに配置したコードリール５０と、このコードリール５０を結合した取付部材６０とを備え、前記取付部材６０の一方側はコードリール５０に取り付けるとともに、他方側は炊飯器本体１の肩部４に取り付け、該コードリール５０を取付部材６０を介して炊飯器本体１の肩部４に吊持させるようにする。【選択図】            図１
2004298505.tif 000002
【特許請求の範囲】
【請求項１】
外ケースと内ケースと肩部とからなる炊飯器本体と、前記内ケース内に出し入れ自在に収納される内鍋と、該内鍋を加熱する加熱手段と、炊飯器本体の内部空間に収納された電源接続用のコードリールと、前記炊飯器本体の上部開口を被蓋する蓋とを少なくとも備えてなる電気炊飯器において、
前記炊飯器本体の内部空間の適所には、縦向きに配置したコードリールと、このコードリールを結合した取付部材とを備え、前記取付部材の一方側はコードリールに取り付けるとともに、他方側は炊飯器本体の肩部に取り付け、該コードリールを取付部材を介して炊飯器本体の肩部に吊持させるようにしたことを特徴とする電気炊飯器。
【請求項２】
炊飯器本体を構成する外ケースは、胴部と底部とを一体に形成してあるとともに、コードリール及び取付部材は、炊飯器本体の後部に蓋を開閉自在に枢着したヒンジ部の下方位置における炊飯器本体の内部空間に設けてある請求項１記載の電気炊飯器。
【請求項３】
コードリールはリード線と接続した充電端子部を炊飯器本体の内部空間において外ケース側に向けて配設するとともに、少なくとも前記充電端子部はコードリールと外ケースとの間に介設した取付部材で被覆してある請求項１または２に記載の電気炊飯器。
【請求項４】
取付部材は、上部にはコードリールの上部を被覆するとともに炊飯器本体の肩部に取り付けるひさしと、このひさしに連続して形成されてコードリールを結合する側板とで形成してある請求項１〜３のいずれかに記載の電気炊飯器。
【請求項５】
取付部材またはコードリールには、取付部材に対するコードリールの取付高さを調節できる高さ調節部が設けてある請求項１〜４のいずれかに記載の電気炊飯器。
【請求項６】
取付部材は合成樹脂等の電気不良導体の材料で構成してある請求項３〜５のいずれかに記載の電気炊飯器。
【請求項７】
取付部材のひさしは平板状に形成するとともに、該平板状の両端部近くにネジ挿入用のネジ止め穴を形成する一方、取付部材の側板には、コードリールのリード線と接続する充電端子部の対向位置に縦方向に切り欠き部を形成し、この切り欠き部にリード線を挿通するようにしてある請求項４〜６のいずれかに記載の電気炊飯器。
【発明の詳細な説明】
【０００１】
【発明の属する技術分野】
本発明は、炊飯ジャーなどの電気炊飯器に関し、詳しく言えばコードリールの取付構造に関する。
【０００２】
【従来の技術】
従来、炊飯器本体の内部空間に電源接続用のコードリールを備えた電気炊飯器としては、例えば、次のようなものが知られている。
【０００３】
すなわち、従来例１の調理器（電気炊飯器）のものは、調理器本体と、この調理器本体内に着脱自在に収納される鍋と、この鍋を加熱する加熱手段と、調理器本体内に配設された保護枠底部と、調理器本体の下方部に位置して保護枠底部に固着される下枠とを有し、前記下枠と保護枠底部との間にコードリールを挟持して固定してなり、また、前記コードリールは、下枠に設けた爪とコードリールの突起部との係止により仮止めするようにし、さらに、コードリールは縦方向に配設してなるものである（例えば、特許文献１参照。）。
【０００４】
従来例２の電気炊飯器のものは、胴部材（外ケース）と外釜（内ケース）と肩部とからなる炊飯器本体と、この炊飯器本体内に出し入れ自在に収納される内鍋と、該内鍋を加熱する加熱手段と、炊飯器本体の内部空間に縦向きに収納された電源接続用のコードリールと、前記炊飯器本体の上部開口を被蓋する蓋とを備えている。そして、上記コードリールは、巻取り部と片面開放のケース形ホルダーとで構成し、そのホルダーに上記巻取り部を収納し、上記胴部材にコード引出し口を設け、該胴部材の内側面と外釜との間に上記コードリールを介在し、そのホルダーの開放面を胴部材の内側面に対向させて該ホルダーを該胴部材に固定し、コードリールから突き出たプラグの先端を前記コード引出し口に挿入した構成としている。さらに、胴部材の側壁及び後端壁の内面下部には内方へ屈曲した底部を形成し、その底部の上面に、ホルダーの下端面を受けるリブと、ホルダーの両側面下部を両側から支持する一対の支持片及びビス穴突部とを設けるとともに、ホルダーに設けた二股片をビスによりビス穴突部に固定するようにしている（例えば、特許文献２参照。）。
【０００５】
［特許文献１］
特公平６−９８０８５号公報（１頁〜３頁、第１図、第２図）
［特許文献２］
実公平７−４７０６４号公報（１頁〜３頁、第１図〜第４図、第６図）
【０００６】
【発明が解決しようとする課題】
しかるに、上記従来例１の調理器は、コードリールを下枠と保護枠底部との間に挟持して固定するのに、下枠に設けた爪とコードリールの突起部とを係止して仮止めするものであるため、上記爪と突起部を設ける必要があるばかりか、その仮止め作業を要しコードリールの組付作業が煩雑である。しかも本体ケースの胴部と底部（下枠）とは別体であるので、両者を結合するための組付工程が必要であった。
【０００７】
また、従来例１のコードリールには、本願発明の取付部材の如く該コードリールを被覆するカバー部材は設けられていないため、蓋内周面からの水滴や、蒸気調圧部から吹きこぼれるおねばが、蓋のヒンジ部周辺から侵入し易く、場合によってはコードリールの充電端子部に、上記水滴やおねばの水分がかる虞れがあった。
【０００８】
さらに、従来例１のコードリールは、該コードリールを炊飯器本体の内部空間に縦向きに配置した場合に、コードリールの収納高さを調節できる構成は採られていない。例えば、１リットル（５．５合）炊きの炊飯器と１．８リットル（１升）炊きの炊飯器とは高さ寸法が異なるため、その高さ寸法に見合った最適寸法である直径のコードリールを別個に製作し取り付けているのが現状であり、この従来例１のコードリールも上記現状品と同様である。すなわち、従来例１のコードリールは、炊飯器の高さ寸法つまりサイズが異なるものにも利用することができないものであった。
【０００９】
従来例２の電気炊飯器も、上記従来例１と同様の問題点を有する。これらの問題点を以下に詳しく説明する。
すなわち、従来例２のコードリールは、巻取り部と、該巻取り部を収納する片面開放のケース形ホルダーとで構成し、胴部材の側壁及び後端壁の内面下方に形成した底部の上面には、ホルダー支持用のリブと、一対の支持片と、ビス穴突部とを設けるとともに、ホルダーには二股片とを設けて、これらの各部材でコードリールを本体ケースに組み付けるものであるため、これらの組付部材を多数必要とするばかりか、それらの組付作業も面倒であるなどの問題があった。
【００１０】
また、従来例２のコードリールは、巻取り部をホルダーで収納保持するものの、巻取り部の充電端子部を被覆するカバー部材は設けられていないため、蓋内周面からの水滴や、蒸気調圧部から吹きこぼれるおねばが、蓋のヒンジ部周辺から侵入し易く、場合によってはコードリールの充電端子部に、上記水滴やおねばの水分がかる虞れがあった。
【００１１】
さらに、従来例２のコードリールも、該コードリールを炊飯器本体の内部空間に縦向きに配置した場合に、コードリールの収納高さを調節できる構成は採られていない。そのため、従来例２のコードリールも、炊飯器の高さ寸法（つまりサイズ）が異なるものにも利用することができないものであった。
【００１２】
本発明は、上記従来の問題点を解決するもので、炊飯器本体に対するコードリールの取付作業性が優れ、コードリールの充電端子部に水滴やおねばの水分がかからないようにし、さらにコードリールの収納高さを調節することにより、同一のコードリールで高さの異なる炊飯器にも対応できる等の電気炊飯器を提供することを目的とする。
【００１３】
【課題を解決するための手段】
上記課題を解決するため、請求項１の電気炊飯器は、外ケースと内ケースと肩部とからなる炊飯器本体と、前記内ケース内に出し入れ自在に収納される内鍋と、該内鍋を加熱する加熱手段と、炊飯器本体の内部空間に収納された電源接続用のコードリールと、前記炊飯器本体の上部開口を被蓋する蓋とを少なくとも備えてなる電気炊飯器において、前記炊飯器本体の内部空間の適所には、縦向きに配置したコードリールと、このコードリールを結合した取付部材とを備え、前記取付部材の一方側はコードリールに取り付けるとともに、他方側は炊飯器本体の肩部に取り付け、該コードリールを取付部材を介して炊飯器本体の肩部に吊持させるようにしたことを特徴とする。
【００１４】
ここで、内鍋を加熱する加熱手段としては、電磁誘導コイル（ワークコイル）を用いて通電により交番磁界を発生し内鍋を誘導加熱する方式に限らず、従来から周知のシーズヒータを埋設した熱板上に内鍋を載置して加熱する方式などでもよく、その他任意に選定できるものである。
また、コードリールを縦向きに配置するとは、コードリールの回転軸線が水平方向にある場合を意味する（図１参照）。
【００１５】
このような構成により、一方側をコードリールに取り付けた取付部材の他方側を炊飯器本体の肩部に取り付けるだけで、該コードリールが前記肩部に取付部材を介して吊り持ち状に支持（以下、吊持という）されるものでるため、従来例１、２に比べて、コードリールが炊飯器本体の内部空間（肩部）に簡単かつ容易に組付でき、組付作業効率が向上できる。しかも、従来例１に示す如き、爪や突起部等の仮止め用の構成部材や、従来例２に示す如き、ホルダー支持用のリブや一対の支持片やビス穴突部等の構成部材も必要としない。
【００１６】
この場合において、炊飯器本体を構成する外ケースは、胴部と底部とを一体に形成してあるとともに、コードリール及び取付部材は、炊飯器本体の後部に蓋を開閉自在に枢着したヒンジ部の下方位置における炊飯器本体の内部空間に設けてある（請求項２参照）のが良い。これによれば、外ケースの胴部と底部とが一体に形成してあるため、先ず、コードリールを取付部材を介して炊飯器本体の肩部に取り付けた後、次にリード線などのすべての配線を経て、最後に、胴部と底部とを一体形成した外ケースを肩部に嵌合するだけでよいので、従来例に比べて、コードリールが肩部に、より一層、簡単容易に組付けでき組付作業効率が更に向上できる。
【００１７】
また、コードリールはリード線と接続した充電端子部を炊飯器本体の内部空間において外ケース側に向けて配設するとともに、少なくとも前記充電端子部はコードリールと外ケースとの間に介設した取付部材で被覆してある（請求項３参照）のが好ましい。これによれば、コードリールの充電端子部は外ケース側に向けて配設してあるため、加熱手段からの熱影響を受け難いし、前記充電端子部は取付部材で被覆してあるため、蓋内周面からの水滴や、蒸気調圧部から吹きこぼれるおねばの水分が前記充電端子部にかかる虞れがなくなる。
【００１８】
さらに、取付部材は、上部にはコードリールの上部を被覆するとともに炊飯器本体の肩部に取り付けるひさしと、このひさしに連続して形成されてコードリールを結合する側板とで形成してある（請求項４参照）のが好ましい。これによれば、前記請求項３において述べた利点が確実に達成できる。
【００１９】
また、取付部材またはコードリールには、取付部材に対するコードリールの取付高さを調節できる高さ調節部が設けてある（請求項５参照）のが良い。これによれば、高さ調節部により取付位置を調節することによって、同一寸法のコードリールを高さ（サイズ）の異なる電気炊飯器に汎用品として利用することができ、構成部品の省略化に寄与し得る。
【００２０】
しかも、取付部材は合成樹脂などの電気不良導体の材料で構成してある（請求項６参照）のが好ましい。これによれば、取付部材でコードリールの充電端子部を被覆しているため、本体ケースがステンレス製等の金属製であっても、絶縁対策も充分であり、コードリールと本体ケースとを離間する必要もなく、炊飯器本体の小形化が実現できる。
【００２１】
さらに、取付部材のひさしは平板状に形成するとともに、該平板状の両端部近くにネジ挿入用のネジ止め穴を形成する一方、取付部材の側板には、コードリールのリード線と接続する充電端子部の対向位置に縦方向に切り欠き部を形成し、この切り欠き部にリード線を挿通する（請求項７参照）こともできる。これによれば、前記ネジ止め穴へ差し込んだネジを本体ケースの肩部にネジ止めして固定し、コードリールのリード線は前記切り欠き部に挿通できるため、コードリール及び肩部への取り付けが簡単にできる取付部材を提供できる。
【００２２】
【発明の実施の形態１】
本発明の実施の形態の第１例を図１〜図６に基づいて以下に説明する。
【００２３】
この実施形態の電気炊飯器は、図２に示すような全体構造を有する、いわゆる電磁誘導炊飯ジャーの場合を例示している。
この電気炊飯器（電磁誘導炊飯ジャー）は、胴部２ａ及び底部２ｂを一体に形成した外ケース２と内ケース（保護枠ともいう）３と肩部４とからなる炊飯器本体１と、前記内ケース３内に出し入れ自在に収納されるもので磁性体金属材料からなる内鍋５と、該内鍋５を加熱する加熱手段１０と、炊飯器本体１の底壁を形成する底部材６と、炊飯器本体の内部空間７（つまり外ケース１と内ケース３と肩部４と底部材６とで囲まれた空間部）に収納された電源接続用のコードリール５０と、前記炊飯器本体１の上部開口１ａを被蓋する蓋２０などを備えている。
【００２４】
内ケース（保護枠）３の底面中央部には、センサ穴９を形成しており、このセンサ穴９より温度センサ８を臨ませて、これで内鍋５の温度を検出するようにしている。
【００２５】
加熱手段１０は、内ケース（保護枠）３の底面及び該底面から側面に至るまでの湾曲面に対面して設けた、内鍋５加熱用の電磁誘導コイル（ワークコイル）１１と、この電磁誘導コイル（ワークコイル）１１を内ケース（保護枠）３とで挟持するコイル台１２と、コイル台１２の外側に設けたフェライトコア１３と、フェライトコア１３を支持するコア押え１４などからなっている。
なお、図１及び図２で、符号１５は遮閉板、１６は胴部ヒータ、１７は断熱部材、１８は肩部ヒータである。図１〜図３で、４ａは炊飯器本体１のヒンジ部２４側の肩部４に突設した把手支持部であって、これは水平姿勢の把手４０を保持する。
【００２６】
蓋２０は、上蓋板２１と下蓋板２２とを、内部に断熱材２３を充填して，高周波溶着などにより接合してある。この蓋２０は、炊飯器本体１つまり肩部４の後部に設けたヒンジ部２４を介して炊飯器本体１に対して弧回動自在で且つ着脱自在に取り付けてある。前記ヒンジ部２４は、ヒンジピン２５に枢支されたヒンジばね２６と、ヒンジばね２６を被覆する上部ヒンジカバー２７と下部ヒンジカバー２８とからなっている。
なお、図１と図２で、２９は内蓋で閉蓋時には内鍋５の開口を閉蓋するものである。この内蓋２９及び上下両蓋板２１、２２の中央部には貫通孔３０が形成されており、この貫通孔３０に公知の蒸気調整ユニット３１が着脱自在に取り付けてある。
【００２７】
図２において、３２は炊飯器本体１の前部に設けて蓋２０をロックするためのロック機構、３３は炊飯スイッチや予約スイッチ等の各種スイッチを備えた操作パネル、３４は操作パネル３３の内側に設けたマイコン基板、３５は電磁誘導コイル１１や胴部ヒータ１６及び肩部ヒータ１８等への通電を制御する制御基板、３６は胴部ヒータ１６や肩部ヒータ１８の駆動回路を有する電源基板である。
【００２８】
前記制御基板３５には電源用のリード線５２が接続されている。このリード線は後述するコードリール５０に巻き取られる電源コード５１の基部に接続されるとともに、該電源コード５１の先端にはプラグ５３が接続されている。そこで、このプラグ５３を商用電源等のコンセント（図示せず）に接続すると、制御基板３５は給電され、操作パネル３３において所望のスイッチを操作して炊飯や保温等の動作が行われる。
【００２９】
炊飯器本体１の後部に蓋２０を開閉自在に枢着したヒンジ部２４の下方位置における炊飯器本体１の内部空間７には、電源コードの回転軸線が水平位置になるように、縦向きに配置したコードリール５０と、このコードリール５０を結合した取付部材６０とを備え、前記取付部材６０の一方側はコードリール５０に取り付けるとともに、他方側は炊飯器本体１の肩部４に取り付け、該コードリール５０を取付部材６０を介して炊飯器本体１の肩部４に吊持させるようにしている。
【００３０】
コードリール５０は、その内部に巻き取られ、かつバネにより内方側に付勢された電源コード５１と、該電源コード５１の基部に接続された前述のリード線５２と、電源コード５１の先端部に接続されたプラグ５３とを備えている。なお、図６において、５４はコードリール５０の略中央部にリード線５２を接続するために設けた充電端子部、５５はコードリール５０に内蔵された電源コードの回転中心部に設けた雌ネジ部である。
このコードリール５０の電源コード５１のプラグ５３は、外ケース２（胴底部）の後端部の一部に形成されたコード引出し口（図１及び図２では紙面手前側に形成されている。）から露出しており、プラグ５３を電源に接続する際には、該プラグ５３を把持してコード引出し口からコードを引き出して使用する。コード及びプラグ５３を器体に収納する際には、前記コードの拘束を解除すると、コードリール５０内のバネの付勢力により自動的に巻き取られる。
【００３１】
なお、電源コード５１が挿通される、外ケース２に形成した前記コード引出し口（図示せず）は、蓋内周面からの水滴や、蒸気調圧部からのおねばによりコードリールの充電端子部が水ぬれしないように、前述したヒンジ部２４の直下には形成しない方が好ましい。
【００３２】
取付部材６０の形状は、本発明では特に限定しないのであるが、この実施形態においては、図１〜図５に示すように、上部にはコードリール５０の上部を被覆するとともに炊飯器本体１の肩部４に取り付ける平板状のひさし６１と、このひさし６１に連続して形成されてコードリール５０を結合する側板６２とで形成してある。
【００３３】
すなわち、前記ひさし６１は、図３及び図４に示すように、コードリール５０の縦置き状態で該コードリール５０の外周の全部を被覆するように、長方形状の平板で形成するとともに、該平板部の両端部近くでコードリール５０の外周よりも外方位置には、炊飯器本体１の肩部４へネジ６５で取り付けるためのネジ止め穴６３，６４（貫通孔又はスリット）が形成されている。このような構成によれば、肩部４へネジ６５を取り付けし易い。
ひさし６１を肩部４へ取り付ける方法は、種々取り得るのであるが、この実施形態では、炊飯器本体１の内部空間７へ臨む位置の肩部４に、間隔を置いて一対のボス６６，６６を垂設し、このボス６６，６６に形成された雌ねじ６６ａ、６６ａに、下方よりひさし６１のネジ止め穴６３，６４へ挿通したネジ６５、６５の雄ねじ６５ａ、６５ａに螺合することによって，取付部材６０が肩部４に取り付けられる。
【００３４】
一方、取付部材６０の側板６２は、上部が幅広で下部を幅狭とし、かつ外郭が略Ｙ字形とした脚部６７と、この脚部６７の片側上部に連続形成した羽根部６８とを有している。そして、前記脚部６７の下部には、コードリール５０の取付高さを調節するための複数の取付穴７０、７１、７２・・・が上下方向に穿設してあり、これらの取付穴７０、７１、７２・・・を高さ調節部６９としてある。
【００３５】
そこで、例えば、図１、図２及び図６に示すように、取付部材６０の取付穴７１と、コードリール５０の雌ネジ部５５とを位置合わせして、取付部材６０の取付穴７１外方からネジ７３を螺合することにより、取付部材６０の一方側（下部）にコードリール５０が吊持される。前記ネジ７３を取り外してから、該ネジ７３を取付穴７０又は７２を介して前記雌ネジ部５５に螺合することにより、上記と同様に取付けできる。従って、取付部材６０に対してコードリール５０の取付高さが３段階に調節されることになる。
なお、取付穴７０〜７２の個数を変更することにより、２段階又は４段階以上に調節することもできるし、調節高さのピッチも適宜設計変更できる。
なお、図１、図２及び図６で、５６は取付部材６０の脚部６７とコードリール５０との間に隙間を形成するための取付管である。
【００３６】
取付部材６０の羽根部６８には、複数のボス状の取付穴７５、７６、７７が高さ調節部７４として上下方向に形成してある。
【００３７】
そして、取付部材６０の脚部６７に形成した高さ調節部６９たる取付穴７０〜７２のいずれかをコードリール５０の雌ネジ部５５に螺合した場合に、前記高さ調節部７４たる取付穴７５〜７７のいずれかに対応するように設けてある。つまり、７０から７１までの距離と７５から７６までの距離、及び７１から７２までの距離と７６から７７までの距離とは同一としてあり、肩部４に取り付けた取付部材６０に対して取付穴７０，７１、７２によりコードリール５０の高さを調節した場合に、その調節ストロークに対応して、取付穴７５、７６、７７のいずれかにネジ７８で止め、コードリール５０は炊飯器本体１（実施形態では肩部４であるが、外ケース２であってもよい。）に取り付けられる。
なお、取付穴７５、７６、７７も、その個数を変更することにより２段階又は４段階以上に調節するようにすることができる。
【００３８】
取付部材６０の脚部６７には、コードリール５０のリード線５２と接続する充電端子部５４の対向位置に縦方向に切り欠き部６７ａを形成し、この切り欠き部６７ａにリード線５２を挿通するようにしてある。このような切り欠き部６７ａがあるため、前記高さ調節部６９の上下動操作をしても、リード線５２が絡まったりするのを防止できる。
【００３９】
この取付部材６０は、コードリール５０が図１〜図４に示す如く縦向き状態で取り付けるが、その取付箇所は任意である。しかしながら、コードリール５０はリード線５２と接続した充電端子部５４を炊飯器本体１の内部空間７において外ケース２側に向けて配設するとともに、少なくとも前記充電端子部５４はコードリール５０と外ケース２との間に介設した取付部材６０の側板６２（脚部６７）で被覆してある（図１と図２参照）のが好ましい。
これによれば、コードリール５０の充電端子部５４は外ケース２側に向けて配設してあるため、加熱手段からの熱影響を受け難い利点があるだけでなく、コードリール５０と外ケース２との離間距離を従来に比べて短くできるので、外ケースの径小化が図られて電気炊飯器が小形化される。またコードリール５０の少なくとも充電端子部５４は取付部材６０で被覆してあるため、蓋２０内周面からの水滴や、蒸気調圧部から吹きこぼれるおねばの水分が前記充電端子部５４にかかる虞れがなくなる。
【００４０】
この実施形態で示された取付部材６０は、前述したように、ひさし６１と側板６２とで形成するとともに、側板６２には充電端子部５４を被覆する脚部６７を有し、前記ひさし６１はコードリール５０の上部を被覆するとともに、脚部６７はコードリール５０の充電端子部５４を被覆するようにしてあるから、例えば図６に示すように、炊飯器本体上部のヒンジ部側に枢着した蓋２０の内周面からの水滴や、蒸気調圧部から吹きこぼれるおねばの水分が、前記充電端子部５４にかかる虞れが確実になくなる。なお、図６で９５は水滴やおねばを示している。
【００４１】
上記目的を更に確実にするために、本実施形態では、図５に示すように、側板６２の裏面側において、前記ひさし６１と脚部６７上部との間に、第２のひさし８０と第３のひさし８１とを形成し、万一、前記ひさし６１でおねばや水滴の水分が充電端子部５４の直下へ落下するのを防止できない場合には、上記第２のひさし８０と第３のひさし８１が防止するようにしている。
【００４２】
この実施形態における電気炊飯器において、コードリール５０と取付部材６０の組付例につき、図１〜図５に沿って以下に簡単に説明する。
先ず、縦向きにしたコードリール５０の雌ネジ部５５を、取付部材６０の脚部６７に形成した取付穴７０〜７２のいずれかに位置合わせして、ネジ７３で固定するとともに、高さ調節部７４である取付穴７５〜７７のいずれかをネジ７８で固定する。次に、取付部材６０のひさし６１に形成したネジ止め穴６３，６４を、肩部４に形成したボス６６、６６に位置合わせして、ネジ６５、６５で固定する。これによって、コードリール５０は肩部４に取付部材６０を介して吊持される。その後に、コードリール５０の電源コード５１のプラグ５３を炊飯器本体１のコード引出し口から露出したり、その他のすべての配線を終了する。最後に、前記肩部４に外ケース２を嵌合する。
【００４３】
このように、本実施形態では、仮止め部材や仮止め作業を必要とする従来例のものに比べて、コードリールが炊飯器本体の内部空間内の肩部に簡単かつ容易に組付けでき、組付作業効率が向上できる。
【００４４】
【その他の実施の形態等】
取付部材６０の形状は、前記第１の実施形態のものに限定されるものではなく、例えば、第２の実施形態である図７に示すものや、第３の実施形態である図８に示すものでもよく、適宜設計変更できる。
【００４５】
第２の実施形態である図７の取付部材６０は、図４に示す第１の実施形態の取付部材６０と比較すれば判るように、両者は平板状のひさし６１と側板６２とを有する点では共通する。しかし、図７の取付部材６０は、図４のものに比べて、ひさし６１のネジ止め穴６３、６４の形成位置が片側の両端近くにある点、後者の羽根部６８及び高さ調節部７４である取付穴７５〜７７が形成されていない点、後者の高さ調節部６９である取り付け穴７１、７２が形成されていない点で、両者は異なる構成を採っている。
【００４６】
従って、この図７の取付部材６０も、第１の実施形態の場合と同様に、縦向きに配置したコードリール５０の充電端子部５４側に、取付部材６０の脚部６７をネジ止めするとともに、ひさし６１を、図２に示す電気炊飯器の炊飯器本体１の肩部４にネジ止めする。このネジ止めの方式としては、図２で示すように、ひさし６１のネジ止め穴６３、６４とボス６６の雌ネジ６６ａ、６６ａと連通させてネジ６５、６５で螺着するとよい。
なお、この図７の取付部材６０とコードリール５０を組み付けた電気炊飯器の全体構造は、図２に示すものと同様であるため、図示を省略している。
【００４７】
この図７の取付部材６０には、前述したように高さ調節部７４（７５〜７７）及び高さ調節部６９（７１、７２）が形成されていないため、第１の実施形態の如く肩部４に対するコードリール５０の取付高さを調節することはできない。
【００４８】
しかしながら、図７のコードリール５０に示すように、雌ネジ部５５の垂直線上に上部雌ネジ部５５ａ、下部雌ネジ部５５ｂを形成し、これら５５、５５ａ、５５ｂを高さ調節部６９として作用させるようにすれば、コードリール５０の取付高さが調節できる。
【００４９】
第３の実施形態である図８の取付部材６０は、底部を開口９０した略箱状に形成したものであって、その上面は、コードリール５０の上部を被覆するとともに炊飯器本体１の肩部４に取り付けるひさし６１となし、側板６２は、電源コード５１を挿通する切り欠き部９１を有する前板部６２ａと、左側板部６２ｂと、右側板部６２ｃと、後板部６２ｄとからなっている。この箱状の取付部材６０の開口９０へ下方からコードリール５０を嵌合して、該コードリール５０を取付部材６０に固定する。この固定手段は種々考えらるが、例えば取付部材６０の左側板部６２ｂに形成した高さ調節部６９たる取付穴７０〜７２のいずれかと、コードリール５０の雌ネジ部５５とを螺合する構成とするとよい。このようにすれば、コードリール５０は高さの調節ができる。
【００５０】
コードリール５０を所望の高さ位置で取付部材６０に取り付けた後に、前記取付部材６０のひさし６１に形成したネジ止め穴６３、６４と、図２に示す如きボス６６、６６の雌ネジ６６ａ、６６ａと連通させてネジ６５、６５で螺着するとよい。
その他の構成は第１の実施形態のものを参照するとよい。
【００５１】
前記第１〜第３の実施形態の取付部材６０は、合成樹脂などの電気不良導体の材料で構成した方が好ましい。
また、加熱手段１０としては、各実施形態では、いわゆる誘導加熱方式を採用しているが、周知のシーズヒータを埋設した熱版で加熱する方式など、その他の方式のものでもよい。
第１の実施形態において、高さ調節部７４である取付穴７５〜７７を省略した構成も実施できる。また、高さ調節部の形成位置や形成個数は適宜選定できるものである。
【００５２】
【発明の効果】
請求項１の電気炊飯器によれば、炊飯器本体の内部空間の適所には、縦向きに配置したコードリールと、このコードリールを結合した取付部材とを備え、前記取付部材の一方側はコードリールに取り付けるとともに、他方側は炊飯器本体の肩部に取り付け、該コードリールを取付部材を介して炊飯器本体の肩部に吊持させるものであり、一方側をコードリールに取り付けた取付部材の他方側を炊飯器本体の肩部に取り付けるだけで、該コードリールが前記肩部に取付部材を介して吊持されるものであるから、コードリールが炊飯器本体の内部空間（肩部）に簡単かつ容易に組付でき、組付作業効率が向上できる。しかも、従来例１の如き爪や突起部等の仮止め用の構成部材や、従来例２の如きホルダー支持用のリブや一対の支持片やビス穴突部等の構成部材も必要としない。
【００５３】
請求項２の電気炊飯器によれば、炊飯器本体を構成する外ケースは、胴部と底部とを一体に形成してあるため、先ず、コードリールを取付部材を介して炊飯器本体の肩部に取り付けた後、次にリード線などのすべての配線を経て、最後に、胴部と底部とを一体形成した外ケースを肩部に嵌合するだけでよいので、コードリールが肩部に、より一層、簡単容易に組付けでき組付作業効率が更に向上できる。
【００５４】
請求項３の電気炊飯器によれば、コードリールはリード線と接続した充電端子部を炊飯器本  体の内部空間において外ケース側に向けて配設してあるから、加熱手段からの熱影響を受け難いし、前記充電端子部はコードリールと外ケースとの間に介設した取付部材で被覆してあるから、蓋内周面からの水滴や、蒸気調圧部から吹きこぼれるおねばの水分が前記充電端子部にかかる虞れがなくなる。
【００５５】
請求項４の電気炊飯器によれば、取付部材は、上部にはコードリールの上部を被覆するとともに炊飯器本体の肩部に取り付けるひさしと、このひさしに連続して形成されてコードリールを結合する側板とで形成してあるので、請求項３で述べた利点が確実に達成できる。
【００５６】
請求項５の電気炊飯器によれば、取付部材またはコードリールには、取付部材に対するコードリールの取付高さを調節できる高さ調節部が設けてあるので、高さ調節部により取付位置を調節することによって、同一寸法のコードリールを高さ（サイズ）の異なる電気炊飯器に汎用品として利用することができ、構成部品の省略化に寄与し得る。
【００５７】
請求項６の電気炊飯器によれば、取付部材は合成樹脂などの電気不良導体の材料で構成してあるので、取付部材でコードリールの充電端子部を被覆しているため、本体ケースがステンレス製等の金属製であっても、絶縁対策も充分であり、コードリールと本体ケースとを離間する必要もなく、炊飯器本体の小形化が実現できる。
【００５８】
請求項７の電気炊飯器によれば、取付部材のひさしは平板状に形成するとともに、該平板状の両端部近くにネジ挿入用のネジ止め穴を形成する一方、取付部材の側板には、コードリールのリード線と接続する充電端子部の対向位置に縦方向に切り欠き部を形成し、この切り欠き部にリード線を挿通するようにしてあるので、請求項４記載の効果に加え、前記ネジ止め穴へ差し込んだネジを本体ケースの肩部にネジ止めして固定し、コードリールのリード線は前記切り欠き部に挿通できるため、コードリール及び肩部への取り付けが簡単にできる取付部材を提供できる。
【図面の簡単な説明】
【図１】本発明の実施の形態１の電気炊飯器の要部縦断面図である。
【図２】本発明の実施の形態１における電気炊飯器の全体構造の縦断面図である。
【図３】本発明の実施の形態１における炊飯器本体の肩部にコードリール及び取付部材を取り付けた状態を示す斜視図である。
【図４】本発明の実施の形態１におけるコードリール及び取付部材の斜視図である。
【図５】本発明の実施の形態１における取付部材を裏面側から見た斜視図である。
【図６】本発明の実施の形態１におけるコードリールが取付部材により被覆されて、充電端子部が水滴等から保護されている状態を示す説明図である。
【図７】本発明の実施の形態２におけるコードリール及び取付部材の分解斜視図である。
【図８】本発明の実施の形態３におけるコードリール及び取付部材の分解斜視図である。
【符号の説明】
１              炊飯器本体
２              外ケース
２ａ            胴部
２ｂ            底部
３              内ケース（保護枠）
４              肩部
５              内鍋
７              内部空間
１０              加熱手段
１１              電磁誘導コイル（ワークコイル）
２０              蓋
２４              ヒンジ部
５０              コードリール
５１              電源コード
５２              リード線
５４              充電端子部
５５              雌ネジ部
６０              取付部材
６１              ひさし
６２              側板
６３、６４        ネジ止め穴
６５              ネジ
６６              ボス
６６ａ            雌ネジ
６７              脚部
６７ａ            切り欠き部
６８              羽根部
６９              高さ調節部
７０              取付穴
７１              取付穴
７２              取付穴
７３              ネジ
７４              高さ調節部
７５              取付穴
７６              取付穴
７７              取付穴
７８              ネジ
８０              第２のひさし
８１              第３のひさし
【図１】
2004298505.tif 000003
【図２】
2004298505.tif 000004
【図３】
2004298505.tif 000005
【図４】
2004298505.tif 000006
【図５】
2004298505.tif 000007
【図６】
2004298505.tif 000008
【図７】
2004298505.tif 000009
【図８】
2004298505.tif 000010